(57)【要約】【課題】省スペースで使用できる貨幣識別装置を得ることを目的とする。【解決手段】紙幣識別装置２３と硬貨識別装置２６とはシャーシ２１で一体化され、このシャーシ２１の前面側に紙幣挿入口１３が設けられるとともにシャーシ２１の後方上面に硬貨投入口１７が設けられた構成としたものである。これにより、紙幣識別装置２３と硬化識別装置２６とが一体化されているので、貨幣識別装置１２を省スペースで使用することができるものである。【選択図】図１
2005267506.tif 000002
【特許請求の範囲】
【請求項１】
紙幣識別装置と硬貨識別装置とが一体化された貨幣識別装置であって、前記紙幣識別装置は、紙幣が挿入される紙幣挿入口を有する紙幣識別部と、この紙幣識別部に連結されるとともに前記紙幣を収納する紙幣金庫を有する紙幣収納部とからなり、前記硬貨識別装置は、硬貨が投入される硬貨投入口を有する硬貨識別部と、この硬貨識別部に連結されるとともに前記硬貨を金種別に収納する硬貨収納筒を有する硬貨収納部と、この硬貨収納部の下流に設けられるとともに前記硬貨を払い出す硬貨払出し部とから成り、前記紙幣識別装置と前記硬貨識別装置とはシャーシで一体化され、このシャーシの前面側に前記紙幣挿入口が設けられるとともに前記シャーシの後方上面に前記硬貨投入口が設けられた貨幣識別装置。
【請求項２】
紙幣金庫と硬貨収納筒とは、開閉自在に設けられた請求項１に記載の貨幣識別装置。
【請求項３】
貨幣識別装置の前面形状は、硬貨識別装置と略同一形状とした請求項１に記載の貨幣識別装置。
【請求項４】
シャーシは、上面と後面と下面とが夫々開口するとともに断面「コ」の字形状をした請求項１に記載の貨幣識別装置。
【請求項５】
シャーシの前面に開口孔を設け、この開口孔から紙幣識別装置を装着可能にした請求項４に記載の貨幣識別装置。
【請求項６】
シャーシは、金属で形成された請求項５に記載の貨幣識別装置。
【請求項７】
紙幣識別部及び硬貨識別部に接続された制御部を設け、この制御部で紙幣と硬貨の入金状況を一括管理する請求項１に記載の貨幣識別装置。
【請求項８】
紙幣の識別と硬貨の識別は、制御部内に設けられた一つのマイクロコンピュータで識別処理をする請求項７に記載の貨幣識別装置。
【請求項９】
紙幣識別部と紙幣収納部と硬貨識別部と硬貨収納部と硬貨払出し部と制御部は夫々ブロック化された請求項７に記載の貨幣識別装置。
【請求項１０】
紙幣識別部と紙幣収納部と硬貨識別部と硬貨収納部と硬貨払出し部と制御部とは夫々独立して着脱可能とした請求項９に記載の貨幣識別装置。
【発明の詳細な説明】
【技術分野】
【０００１】
本発明は、紙幣識別装置と硬貨識別装置とが一体化された貨幣識別装置に関するものである。
【背景技術】
【０００２】
以下、自動販売機に装着された従来の紙幣識別装置と硬貨識別装置について説明する。従来の自動販売機に装着された紙幣識別装置と硬貨識別装置は、図９に示すような構成となっていた。
【０００３】
図９において、１は自動販売機であって、この自動販売機１には紙幣識別装置２と、硬貨識別装置３とが夫々が別々に装着されていた。４は紙幣識別装置２の前面に設けられた紙幣挿入口であり、この紙幣挿入口４から紙幣が挿入される。また、５は自動販売機１に設けられた硬貨投入口であり、この硬貨投入口５から投入された硬貨はシュート６を介して硬貨識別装置３の硬貨投入口７へ投入される。
【０００４】
８は自動販売機１の上方に設けられた商品陳列棚であり、９はこの商品陳列棚８に対応して設けられた商品選択釦である。また、１０は商品選択釦８で選択された商品を搬出する搬出口である。
【０００５】
以上のように構成された自動販売機１について、以下にその動作を説明する。先ず、自動販売機１から商品を購買しようとする購買者は紙幣を紙幣識別装置２の紙幣挿入口４に紙幣を挿入する。或いは、自動販売機１の硬貨投入口５へ硬貨を投入する。
【０００６】
紙幣挿入口４に紙幣を挿入すると、その紙幣は紙幣識別部に導かれて識別される。また、硬貨を投入すると、その硬貨はシュート６を介して硬貨識別装置３の硬貨投入口７に導かれる。そして、硬貨識別部内で投入された硬貨が識別される。
【０００７】
紙幣或いは硬貨が識別されると、その紙幣の額に応じて販売可能な商品陳列棚８のランプを点灯させる。購買者は購買したい商品の商品選択釦９を押下する。そうすると購買したい商品が搬出口１０に搬出される。
【０００８】
なお、この出願の発明に関連する先行技術文献情報としては、例えば、特許文献１が知られている。
【特許文献１】特開平６−３３３１３３号公報
【発明の開示】
【発明が解決しようとする課題】
【０００９】
しかしながらこのような従来の紙幣識別装置２或いは硬貨識別装置３は、夫々別体であったので、自動販売機１の前面パネルに紙幣識別装置と硬貨識別装置とが夫々別々にスペースを占有していた。即ち、貨幣の識別のために自動販売機１の前面パネル部に大きなスペースを占めてしまうという問題があった。
【００１０】
そこで本発明は、この問題を解決したもので、省スペースで使用できる貨幣識別装置を提供することを目的としたものである。
【課題を解決するための手段】
【００１１】
この目的を達成するために本発明の貨幣識別装置は、紙幣識別装置と硬貨識別装置とはシャーシで一体化され、このシャーシの前面側に紙幣挿入口が設けられるとともに前記シャーシの後方上面に硬貨投入口が設けられた構成としたものである。これにより、省スペースで使用することができる貨幣識別装置を得ることができる。
【００１２】
本発明の請求項１に記載の発明は、紙幣識別装置と硬貨識別装置とが一体化された貨幣識別装置であって、前記紙幣識別装置は、紙幣が挿入される紙幣挿入口を有する紙幣識別部と、この紙幣識別部に連結されるとともに前記紙幣を収納する紙幣金庫を有する紙幣収納部とからなり、前記硬貨識別装置は、硬貨が投入される硬貨投入口を有する硬貨識別部と、この硬貨識別部に連結されるとともに前記硬貨を金種別に収納する硬貨収納筒を有する硬貨収納部と、この硬貨収納部の下流に設けられるとともに前記硬貨を払い出す硬貨払出し部とから成り、前記紙幣識別装置と前記硬貨識別装置とはシャーシで一体化され、このシャーシの前面側に前記紙幣挿入口が設けられるとともに前記シャーシの後方上面に前記硬貨投入口が設けられた貨幣識別装置であり、紙幣識別装置と硬貨識別装置とが一体化されているので、省スペースの貨幣識別装置を実現することができる。
【００１３】
従って、この貨幣識別装置を自動販売機に用いれば、紙幣識別装置と硬貨識別装置とを別々に装着する必要は無く、自動販売機内における前面パネル部の省スペース化を図ることができ、自動販売機の商品陳列棚等を大型化することができる。
【００１４】
また、紙幣挿入口は貨幣識別装置の前面側に設けられるとともに、硬貨投入口は貨幣識別装置の後面上方に設けられているので、直接購買者が自動販売機の前面パネルから直接紙幣を紙幣挿入口へ挿入することができる。また、硬貨の場合は、自動販売機の硬貨投入口からシュートを介して従来と同様に硬貨識別装置の硬貨投入口へ導くことができる。
【００１５】
請求項２に記載の発明は、紙幣金庫と硬貨収納筒とは、開閉自在に設けられた請求項１に記載の貨幣識別装置であり、紙幣及び硬貨の取り出しを容易に行うことができる。
【００１６】
請求項３に記載の発明は、貨幣識別装置の前面形状を、硬貨識別装置と略同一形状とした請求項１に記載の貨幣識別装置であり、従来の硬貨識別装置の装着場所のスペースに本発明の貨幣識別装置をそのまま装着することができる。従って、従来の硬貨識別装置のスペースで紙幣と硬貨の両方を扱うことができる。
【００１７】
請求項４に記載の発明のシャーシは、上面と後面と下面とが夫々開口するとともに断面「コ」の字形状をした請求項１に記載の貨幣識別装置であり、上面が開口しているので、硬貨を直接硬貨投入口に投入することができる。また、後面が開口しているので、紙幣や硬貨の取り出しが容易である。更に、下方が開口しているので、軽量化、小型化を図ることができる。
【００１８】
請求項５に記載の発明は、シャーシの前面に開口孔を設け、この開口孔から紙幣識別装置を装着可能にした請求項４に記載の貨幣識別装置であり、前面の開口孔から紙幣識別装置を装着することができるので、組み立てを容易に行うことができるとともに、サービス性も向上する。
【００１９】
請求項６に記載の発明のシャーシは、金属で形成された請求項５に記載の貨幣識別装置であり、金属で形成されているので、薄い厚みで強固なシャーシが実現できる。また、金属で形成されているので、外部からノイズが侵入して識別性能を悪化させることはない。また、外部へノイズを放出することもない。
【００２０】
請求項７に記載の発明は、紙幣識別部及び硬貨識別部に接続された制御部を設け、この制御部で紙幣と硬貨の入金状況を一括管理する請求項１に記載の貨幣識別装置であり、紙幣と硬貨の管理を一つの制御部で一括管理するので、貨幣として統一して扱うことができる。また、一つの制御部で制御するので、小型化と低価格化を図ることができる。
【００２１】
請求項８に記載の発明は、紙幣の識別と硬貨の識別は、制御部内に設けられた一つのマイクロコンピュータで識別処理をする請求項７に記載の貨幣識別装置であり、紙幣の識別と硬貨の識別とを一つのマイクロコンピュータで処理をするので、小型化と低価格化を図ることができる。
【００２２】
請求項９に記載の発明は、紙幣識別部と紙幣収納部と硬貨識別部と硬貨収納部と硬貨払出し部と制御部は夫々ブロック化された請求項７に記載の貨幣識別装置であり、夫々がブロック化されているので、生産性が向上する。
【００２３】
請求項１０に記載の発明は、紙幣識別部と紙幣収納部と硬貨識別部と硬貨収納部と硬貨払出し部と制御部とは夫々独立して着脱可能とした請求項９に記載の貨幣識別装置であり、夫々のブロックが独立して着脱可能であるので、組み立てが容易になるとともに、メンテナンス性が向上する。
【発明の効果】
【００２４】
紙幣識別装置と硬貨識別装置とはシャーシで一体化され、このシャーシの前面側に紙幣挿入口が設けられるとともに前記シャーシの後面上方に硬貨投入口が設けられた貨幣識別装置であり、紙幣識別装置と硬貨識別装置とが一体化されているので、省スペースの貨幣識別装置を実現することができる。
【００２５】
従って、この貨幣識別装置を自動販売機に用いれば、紙幣識別装置と硬貨識別装置とを別々に装着する必要は無く、自動販売機内における前面パネル部側の省スペース化を図ることができ、自動販売機の商品陳列棚等を大型化することができる。
【００２６】
また、紙幣挿入口は貨幣識別装置の前面側に設けられるとともに、硬貨投入口は貨幣識別装置の後面上方に設けられているので、直接購買者が自動販売機の前面パネルから直接紙幣を紙幣挿入口へ挿入することができる。また、硬貨の場合は、自動販売機の硬貨投入口からシュートを介して従来と同様に硬貨識別装置の硬貨投入口へ導くことができる。
【発明を実施するための最良の形態】
【００２７】
以下、本発明の実施の形態について図面に基づいて説明する。図２は、本発明の一実施の形態における貨幣識別装置を自動販売機に装着した斜視図である。図２において、１１は自動販売機であって、この自動販売機１１には本発明の貨幣識別装置１２が装着されている。１３は貨幣識別装置１２の前面に設けられた紙幣挿入口であり、この紙幣挿入口１３から紙幣が挿入される。また、１５は自動販売機１１の前面に設けられた硬貨投入口であり、この硬貨投入口１５に投入された硬貨はシュート１６を介して貨幣識別装置１２の後方の上面に設けられた硬貨投入口１７に導かれる。
【００２８】
１８は自動販売機１１の前面に設けられた商品陳列棚であり、１９はこの商品陳列棚１８に対応して設けられた商品選択釦である。また、２０は商品選択釦１９の押下で選択された商品を搬出する搬出口である。
【００２９】
以上のように構成された自動販売機１１について、以下にその動作を説明する。先ず、自動販売機１１で商品を購買しようとする購買者は貨幣識別装置１２の紙幣挿入口１３に紙幣を挿入する。或いは、自動販売機１１の硬貨投入口１５へ硬貨を投入する。紙幣挿入口１３に挿入された紙幣は紙幣識別部で識別される。また、硬貨投入口１７に投入された硬貨は硬貨識別部で識別される。
【００３０】
そして、入力された貨幣の金額に応じて販売可能な商品陳列棚１８にランプを点灯させる。購買者は購買したい商品選択釦１９を押下する。そうすると購買したい商品が搬出口２０に搬出される。
【００３１】
このように、本発明の貨幣識別装置１２は、紙幣と硬貨との両方を識別できるのにもかかわらず略従来の硬貨識別装置３の大きさであり、省スペースで使用できる貨幣識別装置を実現することができる。従って、自動販売機１１としては、その分商品陳列棚１８を増加させて売り上げを伸ばすことができる。
【００３２】
図１は、この貨幣識別装置１２の分解斜視図である。図１において、２１は断面「コ」の字形状をしたシャーシである。このシャーシ２１の外形寸法は略従来の硬貨識別装置３の外形寸法と同じである。２２は紙幣識別装置２３を形成する紙幣識別部である。２４は、紙幣識別装置２３を形成する紙幣収納部である。そして、紙幣識別部２２と紙幣収納部２４は貨幣識別装置１２の前面からシャーシ２１に設けられた開口孔２１ａを介して装着できるようになっている。
【００３３】
また、２５は硬貨識別装置２６を形成する硬貨識別部である。２７は、硬貨識別装置２６を形成する硬貨収納部である。また、２８は硬貨収納部２７の下流に設けられた硬貨払出し部である。そして、この硬貨識別部２５と硬貨収納部２７は貨幣識別装置１２の後面の開口からシャーシ２１に装着できるようになっている。また、硬貨払出し部２８はシャーシ２１の下面の開口から装着できるようになっている。従って、夫々のブロックを独立して着脱することができるので、サービス性が良好である。
【００３４】
また、２９はシャーシ２１の側面に設けられた制御部である。この制御部２９は紙幣識別装置２３と硬貨識別装置２６の両方の制御を一つのマイクロコンピュータを用いて共通に行うものである。また、紙幣識別部２２と硬貨識別部２５から特徴データのみ入力し、制御部２９に設けられている一つのマイクロコンピュータで識別処理をすることもできる。このことにより、貨幣識別装置１２の小型・低価格化を図ることができる。
【００３５】
このように、本実施の形態における硬貨識別装置は、紙幣識別部２２と、紙幣収納部２４と、硬貨識別部２５と、硬貨収納部２７と、硬貨払出し部２８と、制御部２９は一つのシャーシ２１内に夫々着脱可能なブロックで形成されている。従って、生産効率が向上するとともに、メンテナンスも容易に行うことができるものである。
【００３６】
図３は紙幣識別装置２３の断面図である。図３において、紙幣識別装置２３は、紙幣識別部２２と紙幣収納部２４から構成されている。紙幣識別部２２は、紙幣挿入口１３と、この紙幣挿入口１３に連結された紙幣通路３２と、この紙幣通路３２に設けられるとともに搬送ベルトで形成された搬送手段３３と、この搬送手段３３の途中であって紙幣通路３２の壁面に設けられた紙幣センサ３４と、この紙幣センサ３４に接続された紙幣識別回路３５とで構成されている。
【００３７】
また、紙幣収納部２４は紙幣識別部２３の下方であって、紙幣通路３２の終端に連結されている。紙幣が収納される紙幣収納部２４には、紙幣格納手段３６が設けられており、この紙幣格納手段３６で紙幣を紙幣金庫３７に格納する。また、この紙幣金庫３７は、下方に設けられた支点３８で矢印３９方向に回動自在に取り付けられており、簡単に紙幣の取り出しや紙幣金庫３７の取り外しをすることができる。
【００３８】
以上のように構成された紙幣識別装置２３について、以下にその動作を説明する。紙幣挿入口１３に挿入された紙幣は紙幣通路３２に設けられた搬送手段３３で紙幣通路３２上を搬送される。そして、この紙幣は紙幣センサ３４で特徴が抽出され、この抽出された特徴信号は紙幣識別回路３５内に設けられた増幅器で増幅された後、マイクロコンピュータで紙幣の真偽及び紙幣の種類が識別される。なお、この紙幣識別のためのマイクロコンピュータは制御部２９内のマイクロコンピュータで処理させても良い。
【００３９】
挿入された紙幣が偽紙幣の場合は、搬送手段３３が逆転して紙幣を紙幣挿入口１３へ返却する。真紙幣の場合は搬送手段３３で正方向に搬送して、紙幣金庫３７へ紙幣格納手段３６で格納する。なお、この格納された紙幣の取り出しは、紙幣金庫３７を矢印３９方向に回動して取り出す。
【００４０】
次に、図４を用いて、硬貨識別装置２６の説明をする。硬貨識別装置２６は、上面に設けられた硬貨識別部２５と、この硬貨識別部２５の下方に連結して設けられた硬貨収納部２７と、この硬貨収納部２７の下方に連結して設けられた硬貨払出し部４１、硬貨識別部２５の側面に設けられた制御部２９とがシャーシ２１に着脱自在に装着されている。
【００４１】
硬貨識別部２５は、硬貨が投入される硬貨投入口１７と、この硬貨投入口１７の下方に連結して設けられた硬貨通路４２と、この硬貨通路４２の壁面に設けられるとともに硬貨を検出する３個の硬貨センサ４３と、この硬貨センサ４３に接続された硬貨識別回路４５と、硬貨通路４２の終端に設けられるとともに硬貨の真偽を振り分けるゲート４７と、このゲート４７の下方に設けられるとともに投入された硬貨の金種を振り分ける金種振り分けゲート４４から構成されている。ここで、硬貨センサ４３は材厚センサと、材質センサと、外形センサの３個のセンサで硬貨の真偽、金種の特徴を抽出するものである。
【００４２】
そして、この硬貨識別部２５の下流に硬貨収納部２７が連結されている。即ち、金種振り分けゲート４４の下方に夫々の振り分けられた硬貨が金種毎に収納される硬貨収納筒４６が設けられている。この硬貨収納部２７の下方には、硬貨収納筒４６に収納された硬貨を釣銭等必要に応じて払い出す硬貨払出し部４１が設けられている。なお、硬貨収納筒４６はカセット式になっており、容易に着脱して硬貨の出し入れができるようになっている。
【００４３】
以上のように構成された硬貨識別装置２６について以下にその動作を述べる。硬貨投入口１７に投入された硬貨は、硬貨通路４２を転動進行している間に硬貨センサ４３で材厚・材質・形状が検出される。そして、その検出信号は硬貨識別回路４５に向かって出力される。硬貨識別回路４５では、この硬貨センサ４３からの材厚・材質・形状情報を増幅器で増幅した後、マイクロコンピュータで硬貨の真偽及び金種を判定する。そして、その信号は制御部２９に出力される。
【００４４】
なお、この硬貨の識別のためのマイクロコンピュータは制御部２９に設けられたマイクロコンピュータに行わせることもでき、硬貨識別装置２６の小型・低価格を図ることができる。
【００４５】
このようにして、硬貨投入口１７から投入された硬貨が偽貨の場合はゲート４７で出口（図示せず）に振り分けられる。また、真貨の場合は金種振り分けゲート４４を転動するうちに金種毎に振り分けられて硬貨収納筒４６に金種毎に収納される。また、必要に応じて釣銭等が硬貨払出し部４１から硬貨が払い出される。なお、これらのゲート４７以降の動作制御は制御部２９で制御される。
【００４６】
図５は、シャーシ２１内に装着された貨幣識別装置１２の前面図である。図５において、２１ａはシャーシ２１の前面に設けられた開口孔であり、この開口孔２１ａ側から紙幣識別装置２３を着脱することができる。２２は紙幣識別部であり、この紙幣識別部２２の前面に設けられた前面凸部５０の略中央に紙幣挿入口１３が設けられている。また、２４は紙幣識別部２２の下方に設けられた紙幣収納部である。なお、開口部２１ａは、前面凸部５０のみを突出する開口孔にしても良い。この場合、紙幣識別装置２３はシャーシ２１の後面から取り出すことになる。
【００４７】
図６は、シャーシ２１内に装着された貨幣識別装置１２を後方から見た斜視図である。この貨幣識別装置１２には前方に紙幣識別装置２３が着脱自在に装着され、後方に硬貨識別装置２６が着脱自在に装着されている。
【００４８】
２５は硬貨識別部であり、その上方には硬貨投入口１７が設けられている。またこの硬貨識別部２５の側面には制御部２９が装着されている。
【００４９】
２７は、硬貨識別部２５の下流に装着された硬貨収納部であり、この硬貨収納部２７の手前には硬貨収納筒４６が脱着・開閉自在に設けられている。２８は硬貨収納部２７の下方に装着された硬貨払出し部である。
【００５０】
そして、これらは断面「コ」の字形状のシャーシ２１内に装着されている。また、２１ｂは紙幣識別装置２３の上面を塞ぐ部材である。この部材２１ｂにより紙幣識別装置２３には水やほこりなどが浸入し難くなる。また、シャーシ２１の「コ」の字形状の強度が増し、シャーシ２１の形状が安定する。図７は、貨幣識別装置１２の後面図である。
【００５１】
図８は、貨幣識別装置１２の側面図である。図８において、１７は硬貨投入口であり、５０は紙幣挿入口１３が形成された前面凸部である。２１はシャーシである。５１は台座であり、スポンジ等の発泡材で形成されている。この台座５１は外部からの水やほこりの浸入を防ぐものである。なお、この台座５１は自動販売機１１の前面意匠との関係で装着されない場合もある。
【００５２】
以上の紙幣識別装置２３と硬貨識別装置２６とはシャーシ２１で一体化されている。このシャーシ２１は金属（鉄、ステンレス等）で形成され、その厚さは１．６ｍｍである。このように金属を使用しているので、薄い材料でも十分に強固なシャーシ２１が実現できる。また、このシャーシ２１は錆びないように表面処理を施している。また、金属で形成されているので、これがシールドの役目をし、外部からノイズが浸入してマイクロコンピュータ等を誤動作させることはない。また、外部の機器にノイズ等を放出して悪影響を与えることもない。
【００５３】
このシャーシ２１は断面「コ」の字状であって、上面と後面と下面が開口している。そして、このシャーシ２１の前面に設けられた開口孔２１ａから紙幣識別装置２３が装着され、後面側に硬貨識別装置２６が装着されている。従って、シャーシ２１の前面に紙幣投入口１３が現れ、後方の上面に硬貨投入口１７が現れる。従って、自動販売機に装着された従来の硬貨識別装置のスペースに本実施の形態による硬貨識別装置１２をそのまま装着することができ、省スペース化を図ることができる。
【００５４】
即ち、この貨幣識別装置１２を自動販売機１１に用いれば、紙幣識別装置２３と硬貨識別装置２６とを別々に装着する必要は無く、自動販売機１１内での省スペース化を図ることができ、自動販売機１１の商品陳列棚１８等を大型化することができる。
【００５５】
また、紙幣金庫３７と硬貨収納筒４６とは、開閉自在に設けられているので、紙幣及び硬貨の取り出しを容易に行うことができる。
【００５６】
更に、貨幣識別装置１２の前面の形状は、従来の硬貨識別装置と略同一形状であり、従来の硬貨識別装置の装着場所に本発明の貨幣識別装置１２をそのまま装着することができる。従って、従来の硬貨識別装置のスペースで紙幣と硬貨の両方を扱うことができる。
【００５７】
更にまた、シャーシ２１は、上面が開口しているので、硬化を直接硬貨投入口１７に投入することができる。また、後面が開口しているので、この後面から硬貨収納筒４６を取り外すことができる。また、硬貨収納筒４６を取り外した後、紙幣金庫３７を取り外すことができる。更に、下方が開口しているので、この下方から硬貨払出し部４１を取り外すことができる。また、軽量化、小型化を図ることもできる。
【００５８】
また、紙幣識別部２２及び硬貨識別部２５に接続された制御部２９を設け、この制御部２９で紙幣と硬貨の入金状況を一元管理しているので、貨幣として統一して扱うことができる。また、一つの制御部２９で制御するので、小型化と低価格化を図ることができる。更に、この制御部２９に用いる一つのマイクロコンピュータで紙幣の識別と硬貨の識別とを併せて行うこともできる。
【００５９】
更にまた、紙幣識別部２２と紙幣収納部２４と硬貨識別部２５と硬貨収納部２７とは夫々がブロック化されているので、生産性が向上する。また、夫々のブロックは独立して着脱することができるので、メンテナンスが容易となる。
【００６０】
なお、シャーシ２１の外形は開口孔２１ａとともに一方側から金型で打ち抜かれる。そして、打ち抜かれた方向に折り曲げられて、断面「コ」の字形状が形成される。従って、打ち抜かれた時に生ずるバリは内側に向くことになり、取り扱いに際して安全である。
【産業上の利用可能性】
【００６１】
本発明の貨幣識別装置は、省スペース化を図ることができるので、自動販売機用として有用である。
【図面の簡単な説明】
【００６２】
【図１】本発明の一実施の形態における貨幣識別装置の分解斜視図
【図２】同、貨幣識別装置を用いた自動販売機の斜視図
【図３】同、貨幣識別装置を構成する紙幣識別装置の断面図
【図４】同、貨幣識別装置を構成する硬貨識別装置の正面図
【図５】同、貨幣識別装置の前面図
【図６】同、貨幣識別装置の斜視図
【図７】同、貨幣識別装置の後面図
【図８】同、貨幣識別装置の側面図
【図９】従来の紙幣識別装置と硬貨識別装置を用いた自動販売機の斜視図
【符号の説明】
【００６３】
１２  貨幣識別装置
１３  紙幣挿入口
１７  硬貨投入口
２１  シャーシ
２２  紙幣識別部
２３  紙幣識別装置
２４  紙幣収納部
２５  硬貨識別部
２６  硬貨識別装置
２７  硬貨収納部
２８  硬貨払出し部
３７  紙幣金庫
４６  硬貨収納筒
【図１】
2005267506.tif 000003
【図２】
2005267506.tif 000004
【図３】
2005267506.tif 000005
【図４】
2005267506.tif 000006
【図５】
2005267506.tif 000007
【図６】
2005267506.tif 000008
【図７】
2005267506.tif 000009
【図８】
2005267506.tif 000010
【図９】
2005267506.tif 000011